(57)【要約】  【課題】  薄型・小型・高性能で屈曲光学系としての相性も良い変倍光学系と、それを備えた撮像装置を提供する。  【解決手段】  撮像素子ＳＲの受光面ＳＳ上に物体の光学像ＩＭを変倍可能に形成するための変倍光学系であって、物体側から順に、正パワーの第１レンズ群Ｇｒ１、負パワーの第２レンズ群Ｇｒ２、正パワーの第３レンズ群Ｇｒ３、正パワーの第４レンズ群Ｇｒ４、第５レンズ群Ｇｒ５から成り、広角端(Ｗ)から望遠端(Ｔ)までの変倍において第２レンズ群Ｇｒ２と第４レンズ群Ｇｒ４が移動する。第１レンズ群Ｇｒ１が、物体側から順に、負パワーの前群ＧｒＮ、光軸ＡＸを略９０°折り曲げる反射面ＲＬ、正パワーの後群ＧｒＰから成り、条件式：0＜f1／fw＜4，0＜f3／fw＜3，-1.8＜fg1／fg2＜-1.2を満足する(fw：広角端における全系の焦点距離、f1：第１レンズ群の焦点距離、f3：第３レンズ群の焦点距離、fg1：前群の焦点距離、fg2：後群の焦点距離)。【選択図】      図３
2006323051.tif 000002
【特許請求の範囲】
【請求項１】
撮像素子の受光面上に物体の光学像を変倍可能に形成するための変倍光学系であって、物体側から順に、正のパワーを有する第１レンズ群と、負のパワーを有する第２レンズ群と、正のパワーを有する第３レンズ群と、正のパワーを有する第４レンズ群と、第５レンズ群と、で構成され、広角端から望遠端までの変倍において、少なくとも前記第２レンズ群と前記第４レンズ群が移動する構成になっており、前記第１レンズ群が、物体側から順に、負のパワーを有する前群と、光軸を略９０°折り曲げる反射面と、正のパワーを有する後群と、で構成され、以下の条件式(1)，(2)及び(3)を満足することを特徴とする変倍光学系；
0＜f1／fw＜4  …(1)
0＜f3／fw＜3  …(2)
-1.8＜fg1／fg2＜-1.2  …(3)
ただし、
fw：広角端における全系の焦点距離、
f1：第１レンズ群の焦点距離、
f3：第３レンズ群の焦点距離、
fg1：前群の焦点距離、
fg2：後群の焦点距離、
である。
【請求項２】
以下の条件式(4)を満足することを特徴とする請求項１記載の変倍光学系；
0＜TL／fw＜9.5  …(4)
ただし、
TL：無限遠合焦時の最も物体側の面から結像面までの光軸上の距離、
fw：広角端における全系の焦点距離、
である。
【請求項３】
以下の条件式(5)を満足することを特徴とする請求項１又は２記載の変倍光学系；
1＜f1／f3  …(5)
ただし、
f1：第１レンズ群の焦点距離、
f3：第３レンズ群の焦点距離、
である。
【請求項４】
以下の条件式(6)を満足することを特徴とする請求項１〜３のいずれか１項に記載の変倍光学系；
2.5＜ZR＜4  …(6)
ただし、
ZR：変倍比、
である。
【請求項５】
請求項１〜４のいずれか１項に記載の変倍光学系を備えたことを特徴とする撮像装置。
【発明の詳細な説明】
【技術分野】
【０００１】
本発明は変倍光学系に関するものであり、例えば、被写体の映像を撮像素子で取り込むデジタルカメラや画像入力機能付きデジタル機器に適した変倍光学系(なかでも軽量・小型で高性能のズームレンズ系)と、それを備えた撮像装置に関するものである。
【背景技術】
【０００２】
従来より、ビデオカメラ用のズームレンズ系として、正のパワーを有する第１レンズ群、負のパワーを有する第２レンズ群、正のパワーを有する第３レンズ群、及び正のパワーを有する第４レンズ群から成る、いわゆる正・負・正・正の４群ズームレンズ系であって、ズーミングを第２レンズ群と第４レンズ群の移動により行い、フォーカシングを第４レンズ群の移動により行うものが数多く知られている。さらに、正・負・正・正の像側に第５レンズ群が配置された５群ズームレンズ系もよく知られるようになってきている(例えば、特許文献１，２等参照。)。
【特許文献１】特開平９−６８６５３号公報
【特許文献２】特開平８−３２７９０４号公報
【発明の開示】
【発明が解決しようとする課題】
【０００３】
しかしながら、特許文献１，２等に記載のズームレンズ系は高変倍を主目的としたものであって、小型化を優先したものではない。近年、デジタルスチルカメラや携帯電話等に対する小型化の需要が増大してきており、それに伴い光学系自体の小型化が求められている。また、デジタルスチルカメラや携帯電話等は、携帯性や使い勝手の面で奥行きを薄くすることが望まれており、その結果、光学系の途中に反射部材を設けた屈曲光学系の需要が増大している。
【０００４】
本発明はこのような状況に鑑みてなされたものであって、その目的は、薄型・小型・高性能で屈曲光学系としての相性も良い変倍光学系と、それを備えた撮像装置を提供することにある。
【課題を解決するための手段】
【０００５】
上記目的を達成するために、第１の発明の変倍光学系は、撮像素子の受光面上に物体の光学像を変倍可能に形成するための変倍光学系であって、物体側から順に、正のパワーを有する第１レンズ群と、負のパワーを有する第２レンズ群と、正のパワーを有する第３レンズ群と、正のパワーを有する第４レンズ群と、第５レンズ群と、で構成され、広角端から望遠端までの変倍において、少なくとも前記第２レンズ群と前記第４レンズ群が移動する構成になっており、前記第１レンズ群が、物体側から順に、負のパワーを有する前群と、光軸を略９０°折り曲げる反射面と、正のパワーを有する後群と、で構成され、以下の条件式(1)，(2)及び(3)を満足することを特徴とする。
0＜f1／fw＜4  …(1)
0＜f3／fw＜3  …(2)
-1.8＜fg1／fg2＜-1.2  …(3)
ただし、
fw：広角端における全系の焦点距離、
f1：第１レンズ群の焦点距離、
f3：第３レンズ群の焦点距離、
fg1：前群の焦点距離、
fg2：後群の焦点距離、
である。
【０００６】
第２の発明の変倍光学系は、上記第１の発明において、以下の条件式(4)を満足することを特徴とする。
0＜TL／fw＜9.5  …(4)
ただし、
TL：無限遠合焦時の最も物体側の面から結像面までの光軸上の距離、
fw：広角端における全系の焦点距離、
である。
【０００７】
第３の発明の変倍光学系は、上記第１又は第２の発明において、以下の条件式(5)を満足することを特徴とする。
1＜f1／f3  …(5)
ただし、
f1：第１レンズ群の焦点距離、
f3：第３レンズ群の焦点距離、
である。
【０００８】
第４の発明の変倍光学系は、上記第１〜第３のいずれか１つの発明において、以下の条件式(6)を満足することを特徴とする。
2.5＜ZR＜4  …(6)
ただし、
ZR：変倍比、
である。
【０００９】
第５の発明の撮像装置は、第１〜第４のいずれか１つの発明に係る変倍光学系を備えたことを特徴とする。
【発明の効果】
【００１０】
本発明によれば、第１レンズ群と第３レンズ群が所定の条件式を満たした構成になっているため、変倍光学系の高性能化と小型化とを効果的にバランスさせることが可能となる。したがって、薄型・小型でありながら高性能で、屈曲光学系としての相性も良い変倍光学系と、それを備えた撮像装置を実現することができる。そして、本発明に係る撮像装置をデジタルカメラ，携帯情報機器等の機器に用いれば、これらの機器の薄型・軽量・コンパクト化，低コスト化，高性能化，高機能化等に寄与することができる。
【発明を実施するための最良の形態】
【００１１】
以下、本発明を実施した変倍光学系，撮像装置等を、図面を参照しつつ説明する。本発明に係る撮像装置は、被写体の映像を光学的に取り込んで電気的な信号として出力する光学装置であって、被写体の静止画撮影や動画撮影に用いられるカメラの主たる構成要素を成すものである。そのようなカメラの例としては、デジタルカメラ；ビデオカメラ；監視カメラ；車載カメラ；テレビ電話用カメラ；ドアホーン用カメラ；パーソナルコンピュータ，モバイルコンピュータ，携帯電話，携帯情報端末(ＰＤＡ：Personal Digital Assistant)，これらの周辺機器(マウス，スキャナー，プリンター等)，その他のデジタル機器等に内蔵又は外付けされるカメラが挙げられる。これらの例から分かるように、撮像装置を用いることによりカメラを構成することができるだけでなく、各種機器に撮像装置を搭載することによりカメラ機能を付加することも可能である。例えば、カメラ付き携帯電話等の画像入力機能付きデジタル機器を構成することが可能である。
【００１２】
なお、従来「デジタルカメラ」の語は、専ら光学的な静止画を記録するものを指していたが、静止画と動画を同時に扱えるデジタルスチルカメラや家庭用デジタルムービーカメラも提案されており、現在では特に区別されなくなってきている。したがって「デジタルカメラ」の語は、デジタルスチルカメラ，デジタルムービーカメラ，ウェッブカメラ(オープン型・プライベート型を問わず、ネットワークに接続されて画像の送受信を可能にする機器に接続されるカメラであって、ネットワークに直接接続されるもの、パーソナルコンピュータ等の情報処理機能を有する機器を介して接続されるもの、の両方を含む。)等のように、光学像を形成する撮影レンズ系，その光学像を電気映像信号に変換する撮像素子等を備えた撮像装置を主たる構成要素とするカメラすべてを含むものとする。
【００１３】
図７に、カメラＣＵ(デジタルカメラ，画像入力機能付きデジタル機器等に相当する。)の概略光学構成例を模式的断面で示す。カメラＣＵに搭載されている撮像装置ＬＵは、物体(すなわち被写体)側から順に、物体の光学像(ＩＭ：像面)を変倍可能に形成するズームレンズ系ＺＬ(撮影レンズ系としての変倍光学系に相当する。ＳＴ：絞り)と、平行平面板ＰＴ(必要に応じて配置される光学的ローパスフィルター，赤外カットフィルター等の光学フィルター；撮像素子ＳＲのカバーガラス等に相当する。)と、ズームレンズ系ＺＬにより受光面ＳＳ上に形成された光学像ＩＭを電気的な信号に変換する撮像素子ＳＲとを備えており、デジタルカメラ，画像入力機能付きの携帯情報機器(つまり、携帯電話，ＰＤＡ等の小型で携帯可能な情報機器端末)等に相当するカメラＣＵの一部を成している。この撮像装置ＬＵでデジタルカメラを構成する場合、通常そのカメラのボディ内部に撮像装置ＬＵを配置することになるが、カメラ機能を実現する際には必要に応じた形態を採用することが可能である。例えば、ユニット化した撮像装置ＬＵをカメラボディに対して着脱自在又は回動自在に構成してもよく、ユニット化した撮像装置ＬＵを携帯情報機器(携帯電話，ＰＤＡ等)に対して着脱自在又は回動自在に構成してもよい。
【００１４】
図７に示す撮像装置ＬＵでは、ズームレンズ系ＺＬ内の光路の途中に平面状の反射面ＲＬが配置されており、反射面ＲＬの前側と後側には各々少なくとも１枚のレンズが配置されている。この反射面ＲＬにより、ズームレンズ系ＺＬを屈曲光学系として使用するための光路の折り曲げが行われ、その際、光軸ＡＸが略９０度(つまり９０度又は実質的に９０度)折り曲げられるようにして光束が反射される。このようにズームレンズ系ＺＬの光路中に光路を折り曲げる反射面ＲＬを設ければ、撮像装置ＬＵの配置の自由度が高まるとともに、撮像装置ＬＵの厚さ方向のサイズを変化させて、撮像装置ＬＵの見かけ上の薄型化を達成することが可能となる。特に、後述する第１，第２の実施の形態(図１〜図４)のように最も物体側に負レンズを１枚配置し、その負レンズの像側に反射面ＲＬを配置した場合には、薄型化の大きな効果を得ることができる。なお、光路の折り曲げ位置はズームレンズ系ＺＬの途中に限らず、必要に応じてズームレンズ系ＺＬの前側又は後ろ側に設定してもよい。光路の適正な折り曲げにより、撮像装置ＬＵが搭載されるカメラＣＵの見かけ上の薄型化やコンパクト化を効果的に達成することが可能となる。
【００１５】
上記反射面ＲＬは、プリズム類(直角プリズム等)，ミラー類(平面ミラー等)等の反射部材により構成される。例えば、後述する第１，第２の実施の形態(図１〜図４)では、反射部材としてプリズムＰＲ(好ましくは直角プリズム)が用いられているが、使用する反射部材はプリズム類に限らない。平面ミラー等のミラー類を反射部材として用いることにより、反射面ＲＬを構成してもよい。また、２つ以上の反射面でズームレンズ系ＺＬの光軸ＡＸを略９０度折り曲げるように光束を反射させる反射部材を用いてもよい。光路を折り曲げるための光学的作用も反射に限らず、屈折，回折，又はそれらの組み合わせでもよい。つまり、反射面，屈折面，回折面，又はそれらを組み合わせて有する屈曲光学部材を用いてもよい。
【００１６】
後述する第１，第２の実施の形態に用いられているプリズムＰＲは、光学的なパワー(つまり焦点距離の逆数で定義される量)を有していないが、光路を折り曲げる光学部材に光学的なパワーを持たせてもよい。例えば、プリズムＰＲの反射面ＲＬ，光入射側面，光射出側面等に、ズームレンズ系ＺＬの光学的なパワーを一部負担させれば、レンズ素子のパワー負担を減らして光学性能を向上させることが可能となる。例えば、図１に示すズームレンズ系ＺＬではプリズムＰＲの物体側に負レンズが配置されているが、その負レンズを配置する代わりに、プリズムＰＲの物体側面(すなわち光入射側面)に曲率をつけることによって負のパワーをもたせてもよい。
【００１７】
ズームレンズ系ＺＬは複数のレンズ群から成っており、少なくとも１つのレンズ群が光軸ＡＸに沿って移動し、少なくとも１つのレンズ群間隔を変化させることにより変倍(すなわちズーミング)を行う構成になっている。後述する第１，第２の実施の形態の場合、正・負・正・正・正の５成分ズーム構成を採用しており、いずれも第２，第４レンズ群Ｇｒ２，Ｇｒ４が移動群、第１，第３，第５レンズ群Ｇｒ１，Ｇｒ３，Ｇｒ５が固定群になっている。なお、撮像装置ＬＵに使用する撮影レンズ系はズームレンズ系ＺＬに限らない。ズームレンズ系ＺＬの代わりに、他のタイプの変倍光学系(例えば、バリフォーカルレンズ系，複数焦点距離切り替え型レンズ等の焦点距離可変の結像光学系)を撮影レンズ系として用いてもよい。
【００１８】
ズームレンズ系ＺＬで形成されるべき光学像は、撮像素子ＳＲの画素ピッチにより決定される所定の遮断周波数特性を有する光学的ローパスフィルター(図７中の平行平面板ＰＴに相当する。)を通過することにより、電気的な信号に変換される際に発生するいわゆる折り返しノイズが最小化されるように、空間周波数特性が調整される。これにより、色モアレの発生を抑えることができる。ただし、解像限界周波数周辺の性能を抑えてやれば、光学的ローパスフィルターを用いなくてもノイズの発生を懸念する必要がなく、また、ノイズがあまり目立たない表示系(例えば、携帯電話の液晶画面等)を用いてユーザーが撮影や鑑賞を行う場合には、撮影レンズ系に光学的ローパスフィルターを用いる必要がない。したがって、光学的ローパスフィルターを必要としない撮像装置では、射出瞳位置を適正に配置することができれば、バックフォーカスの短縮により撮像装置やカメラの小型化を達成することが可能である。
【００１９】
なお、光学的ローパスフィルターとしては、複屈折型ローパスフィルターや位相型ローパスフィルター等が適用可能である。複屈折型ローパスフィルターとしては、結晶軸方向が所定方向に調整された水晶等の複屈折材料から成るもの、偏光面を変化させる波長板等を積層して成るもの等が挙げられる。位相型ローパスフィルターとしては、必要とされる光学的な遮断周波数特性を回折効果により達成するもの等が挙げられる。
【００２０】
撮像素子ＳＲとしては、例えば複数の画素を有するＣＣＤ(Charge Coupled Device)やＣＭＯＳ(Complementary Metal Oxide Semiconductor)センサー等の固体撮像素子が用いられる。そして、ズームレンズ系ＺＬにより(撮像素子ＳＲの受光面ＳＳ上に)形成された光学像は、撮像素子ＳＲにより電気的な信号に変換される。撮像素子ＳＲで生成した信号は、必要に応じて所定のデジタル画像処理や画像圧縮処理等が施されてデジタル映像信号としてメモリー(半導体メモリー，光ディスク等)に記録されたり、場合によってはケーブルを介したり赤外線信号に変換されたりして他の機器に伝送される。
【００２１】
なお、図７に示す撮像装置ＬＵでは、ズームレンズ系ＺＬによって拡大側の被写体から縮小側の撮像素子ＳＲへの縮小投影が行われるが、撮像素子ＳＲの代わりに２次元画像を表示する表示素子(例えば液晶表示素子)を用い、ズームレンズ系ＺＬを投影レンズ系として使用すれば、縮小側の画像表示面から拡大側のスクリーン面への拡大投影を行う画像投影装置を構成することができる。つまり、以下に説明するズームレンズ系ＺＬは、撮影レンズ系としての使用に限らず、投影レンズ系としても好適に使用することが可能である。
【００２２】
図１，図２は、第１，第２の実施の形態を構成するズームレンズ系ＺＬにそれぞれ対応するレンズ構成図であり、広角端(Ｗ)でのレンズ配置を屈曲光学系の光路展開状態における光学断面でそれぞれ示している。また、図３，図４は、第１，第２の実施の形態を構成するズームレンズ系ＺＬにそれぞれ対応するレンズ構成図であり、広角端(Ｗ)でのレンズ配置を屈曲光学系の光路折り曲げ状態における光学断面でそれぞれ示している。
【００２３】
図１，図２中、ｒｉ(ｉ＝１，２，３，．．．)が付された面は物体側から数えてｉ番目の面(ｒｉに＊印が付された面は非球面)であり、ｄｉ(ｉ＝１，２，３，．．．)が付された軸上面間隔は、物体側から数えてｉ番目の軸上面間隔のうち、ズーミングにおいて変化する可変間隔である。また図３，図４中、矢印ｍ２，ｍ４は広角端(Ｗ)から望遠端(Ｔ)へのズーミングにおける第２レンズ群Ｇｒ２，第４レンズ群Ｇｒ４の移動(つまり像面ＩＭに対する相対的な位置の変化)をそれぞれ模式的に示しており、矢印ｍＦは無限遠撮影から近距離撮影へのフォーカスレンズ群(ここでは第４レンズ群Ｇｒ４)の移動を模式的に示している。なお、平行平面板ＰＴはズーミングにおいて固定群Ｇｒ１，Ｇｒ３，Ｇｒ５と共に位置固定である。
【００２４】
第１，第２の実施の形態を構成するズームレンズ系ＺＬは、物体側から順に、正のパワーを有する第１レンズ群Ｇｒ１と、負のパワーを有する第２レンズ群Ｇｒ２と、正のパワーを有する第３レンズ群Ｇｒ３と、正のパワーを有する第４レンズ群Ｇｒ４と、正のパワーを有する第５レンズ群Ｇｒ５と、の５成分から成っており、広角端(Ｗ)から望遠端(Ｔ)までの変倍において、第１レンズ群Ｇｒ１と第３レンズ群Ｇｒ３と第５レンズ群Ｇｒ５の位置が固定であるとともに、第２レンズ群Ｇｒ２と第４レンズ群Ｇｒ４が移動する構成になっている。各実施の形態のレンズ構成を以下に詳しく説明する。
【００２５】
第１の実施の形態(図１)では、正・負・正・正・正の５成分ズーム構成において各レンズ群が以下のように構成されている。第１レンズ群Ｇｒ１は、物体側から順に、像側に凹の負メニスカスレンズから成る前群ＧｒＮと、プリズムＰＲと、両凸の正レンズから成る後群ＧｒＰと、で構成されている。第２レンズ群Ｇｒ２は、物体側から順に、物体側面が非球面から成る両凹の負レンズと、両凹の負レンズ及び両凸の正レンズから成る接合レンズと、で構成されている。第３レンズ群Ｇｒ３は、物体側から順に、絞りＳＴと、両凸の正レンズ及び両凹の負レンズから成る接合レンズと、両面が非球面から成る物体側に凸の正メニスカスレンズと、で構成されている。第４レンズ群Ｇｒ４は、両凸の正レンズ及び物体側に凹の負メニスカスレンズから成る接合レンズ１枚のみから成っている。第５レンズ群Ｇｒ５は、物体側から順に、両凹の負レンズと、両面が非球面から成る物体側に凸の正メニスカスレンズと、から成っている。広角端(Ｗ)から望遠端(Ｔ)へのズーミングにおいて、第１，第３，第５レンズ群Ｇｒ５は像面ＩＭ(図３)に対してズーム位置固定であるとともに、第２レンズ群Ｇｒ２は像側へ移動し、第４レンズ群Ｇｒ４は物体側へ移動する。
【００２６】
第２の実施の形態(図２)では、正・負・正・正・正の５成分ズーム構成において各レンズ群が以下のように構成されている。第１レンズ群Ｇｒ１は、物体側から順に、像側に凹の負メニスカスレンズから成る前群ＧｒＮと、プリズムＰＲと、像側面が非球面の両凸の正レンズから成る後群ＧｒＰと、で構成されている。第２レンズ群Ｇｒ２は、物体側から順に、両凹の負レンズと、両凹の負レンズ及び物体側に凸の正メニスカスレンズから成る接合レンズと、で構成されている。第３レンズ群Ｇｒ３は、物体側から順に、絞りＳＴと、両凸の正レンズと、像側面が非球面から成る像側に凹の負メニスカスレンズと、で構成されている。第４レンズ群Ｇｒ４は、像側に凹の負メニスカスレンズ及び両凸の正レンズから成る接合レンズ１枚のみから成っている。第５レンズ群Ｇｒ５は、物体側から順に、両凹の負レンズと、両面が非球面から成る両凸の正レンズと、から成っている。広角端(Ｗ)から望遠端(Ｔ)へのズーミングにおいて、第１，第３，第５レンズ群Ｇｒ５は像面ＩＭ(図４)に対してズーム位置固定であるとともに、第２レンズ群Ｇｒ２は像側へ移動し、第４レンズ群Ｇｒ４は物体側へ移動する。
【００２７】
上記各実施の形態のように、物体側から順に正・負・正・正の４成分とそれに後続する第５レンズ群とで構成された変倍光学系では、第１レンズ群のパワーが弱いと前玉径が大きくなり、変倍光学系の小型化が困難になる。この問題を解消するには第１レンズ群のパワーを強くすることが必要であり、具体的には以下の条件式(1)を満足することが望ましい。この条件式(1)の上限を越えると、第１レンズ群のパワーが弱すぎて、前玉径の大型化により変倍光学系の大型化が避けられなくなる。
0＜f1／fw＜4  …(1)
ただし、
fw：広角端における全系の焦点距離、
f1：第１レンズ群の焦点距離、
である。
【００２８】
以下の条件式(1a)を満足することが更に望ましい。
2.0＜f1／fw＜3.9  …(1a)
この条件式(1a)は、上記条件式(1)が規定している条件範囲のなかでも、上記観点等に基づいた更に好ましい条件範囲を規定している。
【００２９】
また、物体側から順に正・負・正・正の４成分とそれに後続する第５レンズ群とで構成された変倍光学系では、第１レンズ群で集光された光束が第２レンズ群で広がり、第３レンズ群及び第４レンズ群で再度集光されて結像するが、第３レンズ群のパワーが弱いと、第３レンズ群を通過した後の光線が広がることによって第４レンズ群を通過する光線位置が高くなる。各実施の形態のように第１レンズ群で光軸が略９０°折り曲げられる屈曲光学系としての変倍光学系では、屈曲後の光線の高さ方向が撮像装置の奥行き方向に相当するので、結果として撮像装置を薄くすることが難しくなる。この問題を解消するには第３レンズ群のパワーを強くすることが必要であり、具体的には以下の条件式(2)を満足することが望ましい。この条件式(2)の上限を越えると、第３レンズ群のパワーが弱すぎて、第４レンズ群以降で光路幅が広がってしまい変倍光学系の小型化が難しくなる。
0＜f3／fw＜3  …(2)
ただし、
fw：広角端における全系の焦点距離、
f3：第３レンズ群の焦点距離、
である。
【００３０】
以下の条件式(2a)を満足することが更に望ましい。
1.5＜f3／fw＜2.0  …(2a)
この条件式(2a)は、上記条件式(2)が規定している条件範囲のなかでも、上記観点等に基づいた更に好ましい条件範囲を規定している。
【００３１】
上記のように条件式(1)及び条件式(2)を満たすように、第１レンズ群と第３レンズ群のパワーを強くすれば、変倍光学系の全長を短くして変倍光学系の小型化を達成することができる。また、光束の広がりを抑えて光線通過位置を低くすることができるので、屈曲光学系としての変倍光学系の薄型化も達成することができる。このような変倍光学系の小型化・薄型化を更に効果的に達成するには、以下の条件式(5)を満足することが望ましい。条件式(5)を満たせば、第３レンズ群のパワーが第１レンズ群のパワーよりも強くなるので、第３レンズ群近辺の光線位置が低くなり、結果として変倍光学系を厚み方向に薄くすることが可能になる。
1＜f1／f3  …(5)
ただし、
f1：第１レンズ群の焦点距離、
f3：第３レンズ群の焦点距離、
である。
【００３２】
以下の条件式(5a)を満足することが更に望ましい。
1.3＜f1／f3  …(5a)
この条件式(5a)は、上記条件式(5)が規定している条件範囲のなかでも、上記観点等に基づいた更に好ましい条件範囲を規定している。
【００３３】
各実施の形態の第１レンズ群Ｇｒ１は、プリズムＰＲの物体側に前群ＧｒＮとして負レンズを有しており、プリズムＰＲの像側に後群ＧｒＰとして正レンズを有している。このようなパワー配置において、前群の負パワーが後群の正パワーと比べて相対的に強くなると、入射瞳が相対的に物体側へ位置することになる。しかし、前群のパワーが強すぎると、前群を構成するレンズ面の曲率が強くなるため収差補正が困難になる。この問題を解消するには、前群と後群のパワー比を適切に設定するのが有効である。具体的には、第１レンズ群が、物体側から順に、負のパワーを有する前群と、光軸を略９０°折り曲げる反射面と、正のパワーを有する後群と、で構成され、以下の条件式(3)を満足することが望ましい。
-1.8＜fg1／fg2＜-1.2  …(3)
ただし、
fg1：前群の焦点距離、
fg2：後群の焦点距離、
である。
【００３４】
第１レンズ群内のパワー配置が条件式(3)を満たすように、後群の正パワーに対する前群の負パワーを相対的に強くすれば、入射瞳を物体側に配置して前玉径を小さくすることができる。その結果、前群と後群との間で光路を折り曲げる反射部材において光線通過位置が低くなるため、反射部材を小さくすることができ、屈曲光学系としての変倍光学系の薄型化を達成することができる。もし条件式(3)の下限を越えて前群の負パワーが弱くなると、反射部材中を通過する光束の幅が広がってしまい、結果として反射部材は大型化することになる。
【００３５】
以下の条件式(3a)を満足することが更に望ましい。
-1.6＜fg1／fg2＜-1.2  …(3a)
この条件式(3a)は、上記条件式(3)が規定している条件範囲のなかでも、上記観点等に基づいた更に好ましい条件範囲を規定している。
【００３６】
上述したように、第１レンズ群と第３レンズ群が所定の条件式を満たすように構成すれば、変倍光学系の高性能化と小型化とを効果的にバランスさせることが可能となる。したがって、薄型・小型でありながら高性能で、屈曲光学系としての相性も良い変倍光学系と、それを備えた撮像装置を実現することができる。そして、その撮像装置をデジタルカメラ，携帯情報機器等の機器に用いれば、これらの機器の薄型・軽量・コンパクト化，低コスト化，高性能化，高機能化等に寄与することができる。
【００３７】
また、デジタルスチルカメラや携帯電話等に使用する変倍光学系の場合、光学系全体を小さくするためにバックフォーカスも小さくしていく必要がある。そのためには、以下の条件式(4)を満足することが望ましい。この条件式(4)の上限を越えると、変倍光学系の全長が増大して薄型化とのバランスがとれなくなる。
0＜TL／fw＜9.5  …(4)
ただし、
TL：無限遠合焦時の最も物体側の面から結像面までの光軸上の距離、
fw：広角端における全系の焦点距離、
である。
【００３８】
以下の条件式(4a)を満足することが更に望ましい。
6.0＜TL／fw＜8.0  …(4a)
この条件式(4a)は、上記条件式(4)が規定している条件範囲のなかでも、上記観点等に基づいた更に好ましい条件範囲を規定している。
【００３９】
変倍比を適切に設定することにより、変倍光学系を光線高さ方向(撮像装置の奥行き方向)に薄くすることが可能となる。したがって、変倍域に関しては、高性能化及び小型化とのバランスから以下の条件式(6)を満足することが望ましい。
2.5＜ZR＜4  …(6)
ただし、
ZR：変倍比、
である。
【００４０】
従来より知られている一般的な正・負・正・正の４成分とそれに後続する第５レンズ群とから成る５成分ズーム構成では、高い変倍比を得るために変倍光学系全体の大きさが犠牲になっている。つまり、第１レンズ群のレンズ径の増大や変倍光学系の全長の増大により、変倍光学系全体の大型化を招く結果となっている。条件式(6)を満たすように変倍域を設定すれば、第１レンズ群等のレンズ径を小さくするとともに変倍光学系の全長を短縮して全体を小型化することが可能となる。したがって、変倍光学系におけるサイズ，変倍域及び光学性能のバランスを良好にすることができる。図７等に示すようにズームレンズ系ＺＬを屈曲光学系として使用する場合には、ズームレンズ系ＺＬのレンズ径方向の小型化は、撮像装置ＬＵ及びカメラＣＵを薄型化する上で特に有効である。
【００４１】
以下の条件式(6a)を満足することが更に望ましい。
2.7＜ZR＜3.5  …(6a)
この条件式(6a)は、上記条件式(6)が規定している条件範囲のなかでも、上記観点等に基づいた更に好ましい条件範囲を規定している。
【００４２】
各実施の形態のズームレンズ系ＺＬは、前述したように第１レンズ群Ｇｒ１にプリズムＰＲを反射部材として有している。つまり、ズーミング中位置固定の第１レンズ群Ｇｒ１が、光軸ＡＸを略９０°折り曲げる反射面ＲＬを有している。このように変倍時の第１レンズ群のズーム位置が像面に対して固定であれば、重量の大きなプリズムを移動させるために駆動機構に大きな負担を強いる必要がない。また、第１レンズ群を移動させるための大きなスペースが不要であり、変倍光学系の入射側での光軸方向の長さを短くすることが可能となる。したがって、全長が変化しない(つまり変倍や沈胴による厚さの変化が生じない)変倍光学系を得ることができる。そして、変倍光学系の全長が変化しなければ、変倍光学系全体を箱型の構造で保持することができるので、変倍光学系を剛性の高い構造で保持することができる。こういった観点から、前述の特徴的な第１レンズ群で軽量・小型化及び高性能化された各実施の形態のズームレンズ系ＺＬは、屈曲光学系としても相性の良い構成と言える。
【００４３】
フォーカシングは第４レンズ群の移動により行うことが好ましい。各実施の形態のズームレンズ系ＺＬでは、矢印ｍＦ(図３，図４)で示すように第４レンズ群Ｇｒ４を物体側に移動させることにより、無限遠物体から近接物体へのフォーカシングを行う構成になっている。従来より、ズーミングに対するレンズ駆動は、１つの駆動装置の動力をズームカムを通じて複数の移動レンズ群に伝達することで行われている。一方、フォーカシングは別の駆動装置を用いたフォーカスレンズ群の移動により行われている。しかし、各実施の形態のズームレンズ系ＺＬのようにズーミングやフォーカシングで移動するレンズ群が２つであれば、カム等を使わずに２つのレンズ群にそれぞれ駆動装置を直接接続することができる。各レンズ群の移動量をコントロールすることによりズーミングやフォーカシングを行えば、カムが不要となるので構成を簡略化することができ、ひいては薄型化につながるので好ましい。また、各実施の形態のズームレンズ系ＺＬのように、負レンズと正レンズをそれぞれ少なくとも１枚用いて第４レンズ群を構成し、近接撮影を行う際のフォーカシングを、第４レンズ群を物体側に繰り出すことにより行う構成にすれば、フォーカシング時の収差変動を小さくすることができるので好ましい。
【００４４】
各実施の形態を構成しているズームレンズ系ＺＬには、入射光線を屈折作用により偏向させる屈折型レンズ(つまり、異なる屈折率を有する媒質同士の界面で偏向が行われるタイプのレンズ)が用いられているが、使用可能なレンズはこれに限らない。例えば、回折作用により入射光線を偏向させる回折型レンズ，回折作用と屈折作用との組み合わせで入射光線を偏向させる屈折・回折ハイブリッド型レンズ，入射光線を媒質内の屈折率分布により偏向させる屈折率分布型レンズ等を用いてもよい。ただし、媒質内で屈折率が変化する屈折率分布型レンズは、その複雑な製法がコストアップを招くため、屈折率分布の均一な均質素材レンズを用いることが望ましい。また、ズームレンズ系ＺＬには、光学素子としてレンズ以外に絞りＳＴが用いられているが、必要に応じて不要光をカットするための光束規制板(例えばフレアカッター)等を必要に応じて配置してもよい。
【実施例】
【００４５】
以下、本発明を実施したズームレンズ系の構成等を、コンストラクションデータ等を挙げて更に具体的に説明する。ここで挙げる実施例１，２は、前述した第１，第２の実施の形態にそれぞれ対応する数値実施例であり、第１，第２の実施の形態を表す光学構成図(図１〜図４)は、対応する実施例１，２のレンズ構成をそれぞれ示している。
【００４６】
表１〜表４に実施例１，実施例２のコンストラクションデータを示し、表５に各実施例の条件式対応値等を示す。表１，表３に示す基本的な光学構成(ｉ：面番号)において、ｒｉ(ｉ＝１，２，３，．．．)は物体側から数えてｉ番目の面の曲率半径(ｍｍ)、ｄｉ(ｉ＝１，２，３，．．．)は物体側から数えてｉ番目の面と(ｉ＋１)番目の面との間の軸上面間隔(ｍｍ)を示しており、Ｎｉ(ｉ＝１，２，３，．．．)，νｉ(ｉ＝１，２，３，．．．)は軸上面間隔ｄｉに位置する光学材料のｄ線に対する屈折率(Ｎｄ)，アッベ数(νｄ)をそれぞれ示している。また、ズーミングにおいて変化する軸上面間隔ｄｉは、広角端(最短焦点距離状態，Ｗ)〜望遠端(最長焦点距離状態，Ｔ)での可変空気間隔であり、ｆ，ＦＮＯは各焦点距離状態(Ｗ)，(Ｔ)に対応する全系の焦点距離(ｍｍ)，Ｆナンバーをそれぞれ示している。
【００４７】
曲率半径ｒｉのデータに＊印が付された面は、非球面(非球面形状の屈折光学面、非球面と等価な屈折作用を有する面等)であり、非球面の面形状を表わす以下の式(AS)で定義される。表２，表４中に、各実施例の非球面データを示す。ただし、表記の無い項の係数は０であり、すべてのデータに関してＥ−ｎ＝×１０-nである。
Ｘ(Ｈ)＝(Ｃ０・Ｈ2)／{１＋√(１−ε・Ｃ０2・Ｈ2)}＋Σ(Ａｊ・Ｈj)  …(AS)
ただし、式(AS)中、
Ｘ(Ｈ)：高さＨの位置での光軸ＡＸ方向の変位量(面頂点基準)、
Ｈ：光軸ＡＸに対して垂直な方向の高さ、
Ｃ０：近軸曲率(＝１／ｒｉ)、
ε：２次曲面パラメータ、
Ａｊ：ｊ次の非球面係数、
である。
【００４８】
図５，図６は実施例１，実施例２にそれぞれ対応する収差図であり、(Ｗ)は広角端，(Ｔ)は望遠端における無限遠合焦状態での諸収差{左から順に、球面収差等，非点収差，歪曲収差である。ＦＮＯはＦナンバー、Ｙ’(ｍｍ)は撮像素子ＳＲの受光面ＳＳ上での最大像高(光軸ＡＸからの距離に相当する。)である。}を示している。球面収差図において、実線ｄはｄ線、一点鎖線ｇはｇ線、二点鎖線ｃはｃ線に対する各球面収差(ｍｍ)を表しており、破線ＳＣは正弦条件不満足量(ｍｍ)を表している。非点収差図において、破線ＤＭはメリディオナル面、実線ＤＳはサジタル面でのｄ線に対する各非点収差(ｍｍ)を表している。また、歪曲収差図において実線はｄ線に対する歪曲(％)を表している。
【００４９】
【表１】
2006323051.tif 000003
【００５０】
【表２】
2006323051.tif 000004
【００５１】
【表３】
2006323051.tif 000005
【００５２】
【表４】
2006323051.tif 000006
【００５３】
【表５】
2006323051.tif 000007
【図面の簡単な説明】
【００５４】
【図１】第１の実施の形態(実施例１)を光路展開状態で示すレンズ構成図。
【図２】第２の実施の形態(実施例２)を光路展開状態で示すレンズ構成図。
【図３】第１の実施の形態(実施例１)を光路折り曲げ状態で示すレンズ構成図。
【図４】第２の実施の形態(実施例２)を光路折り曲げ状態で示すレンズ構成図。
【図５】実施例１の収差図。
【図６】実施例２の収差図。
【図７】撮像装置を搭載したカメラの概略光学構成例を模式的断面で示す側面図。
【符号の説明】
【００５５】
ＣＵ    カメラ
ＬＵ    撮像装置
ＺＬ    ズームレンズ系(変倍光学系)
Ｇｒ１    第１レンズ群
Ｇｒ２    第２レンズ群
Ｇｒ３    第３レンズ群
Ｇｒ４    第４レンズ群
Ｇｒ５    第５レンズ群
ＧｒＮ    前群
ＧｒＰ    後群
ＰＲ    プリズム(反射部材)
ＲＬ    反射面
ＳＴ    絞り
ＰＴ    平行平面板
ＳＲ    撮像素子
ＳＳ    受光面
ＩＭ    像面
ＡＸ    光軸
【図１】
2006323051.tif 000008
【図２】
2006323051.tif 000009
【図３】
2006323051.tif 000010
【図４】
2006323051.tif 000011
【図５】
2006323051.tif 000012
【図６】
2006323051.tif 000013
【図７】
2006323051.tif 000014